(57)【要約】【課題】  シリンダ錠を前面扉に設けても、シリンダ錠に差し込まれたキーが初期位置に自動復帰されるようにした施錠装置を提供する。【解決手段】  遊技機本体１に鉤部材ユニット７を設け、前面扉２にシリンダ錠ユニット８を設けている。前記シリンダ錠ユニット８は、シリンダ錠７１と、シリンダ錠の錠軸７５に固着された係合部材７７と、前面扉の裏側に上下に移動可能に設けられた作動杆７２と、作動杆を付勢するための作動杆用弾性部材８１とを備え、シリンダ錠にキーを差し込んで回転操作した後、回転操作を解除すると、作動杆用弾性部材の弾性により作動杆が元の位置に戻りキーが初期位置に戻されるようになっている。【選択図】  図８
2018094010.tif 000002
【特許請求の範囲】
【請求項１】
遊技機本体と、前記遊技機本体に開閉自在に装着された前面扉と、前記遊技機本体に設けられた鉤部材ユニットと、前記前面扉に設けられたシリンダ錠ユニットとによって形成された遊技機の施錠装置であって、
前記鉤部材ユニットは、上下に移動可能に設けられた施錠杆と、前記施錠杆に設けられフック部が前記前面扉に係合する鉤部材と、前記施錠杆を付勢するための施錠杆用弾性部材とを備え、
前記シリンダ錠ユニットは、鍵孔が前面に露出するように設けられたシリンダ錠と、前記シリンダ錠の錠軸に固着され第１爪部と第２爪部が形成された係合部材と、前記前面扉の裏側に上下に移動可能に設けられた作動杆と、前記作動杆を付勢するための作動杆用弾性部材とを備え、
前記係合部材の第１爪部は常に前記作動杆に係合し、前記係合部材の第２爪部は前記前面扉が前記遊技機本体に閉止された状態で前記施錠杆に係合するようになっており、
前記第２爪部が前記施錠杆に係合している状態において前記シリンダ錠に所定のキーを差し込んで回転操作すると、前記第１爪部は前記作動杆を前記作動杆用弾性部材の付勢に抗して移動させると共に、前記第２爪部は前記施錠杆を前記施錠杆用弾性部材の付勢に抗して移動させ、
前記キーの回転操作を解除すると、前記作動杆用弾性部材の弾性により前記作動杆が元の位置に戻り前記キーが初期位置に戻されるようにしたことを特徴とする遊技機の施錠装置。
【発明の詳細な説明】
【技術分野】
【０００１】
本発明は遊技機に装着される施錠装置に関するものである。
【背景技術】
【０００２】
遊技機本体に前面扉が開閉自在に軸着されているパチンコ遊技機やスロットマシン等の遊技機には施錠装置が装着されているが、こうした施錠装置は、前面扉ではなく遊技機本体に設けられているのが一般的である。例えば、特許文献１に示されているものは、パチンコ遊技機の中枠９１（遊技機本体）に取り付けられた基枠体１に、シリンダ錠７を取り付け、このシリンダ錠７の錠軸７ａにカム部材８を固着している。また、基枠体１に鉤部２１，２２が形成された中枠施錠杆２と鉤部３１，３２，３３が形成されたガラス枠施錠杆３とを摺動自在に設け、この中枠施錠杆２とガラス枠施錠杆３にシリンダ錠７の錠軸７ａに固着されたカム部材８を係合させている。さらに、中枠施錠杆２及びガラス枠施錠杆３のそれぞれにコイルばねが設けられており、中枠施錠杆２及びガラス枠施錠杆３は、一定方向に付勢されている。そして、シリンダ錠７にキーを差し込んで回転させると、その回転方向に応じてカム部材８が施錠状態にあった中枠施錠杆２、あるいはガラス枠施錠杆３をコイルばねの付勢に抗して開錠方向へと移動させ、その結果、中枠９１、あるいはガラス枠９２を開錠し得るようになっている。この時、中枠９１、あるいはガラス枠９２の開錠が終了し、キーから手を離すと、コイルばねの付勢力によって、中枠施錠杆２、あるいはガラス枠施錠杆３は、元の位置に戻ることになるが、同時に、中枠施錠杆２及びガラス枠施錠杆３に係合しているシリンダ錠７の錠軸７ａのカム部材８も元の位置に戻ることになり、故に、シリンダ錠７に差し込んだキーも差し込んだ位置、すなわち、初期位置に戻ることになる。ちなみに、特許文献２に示されているものも、本体枠３（遊技機本体）に施錠装置を構成する支持基板３０、施錠杆（施錠ロッド）３１、シリンダ錠１９等を集約している。
【先行技術文献】
【特許文献】
【０００３】
【特許文献１】特開２０１２−５０７０８号公報
【特許文献２】特開２０１６−７７７２４号公報
【発明の概要】
【発明が解決しようとする課題】
【０００４】
ここで、先にも述べたとおり、遊技機の施錠装置は、基本的に遊技機の前面扉ではなく、遊技機本体側に設けられているが、これは、施錠装置のシリンダ錠に差し込まれたキーを回転させた後、当該キーを回転前の初期位置に自動復帰させる必要があるからである。この点についてさらに詳細に説明すると、シリンダ錠に差し込んだキーは、シリンダ錠の構造上、差し込んだ元の位置、すなわち、キーが回転していない初期位置に戻さなければ、シリンダ錠から抜き取ることができないようになっている。そのため、シリンダ錠に差し込んだキーを開錠のために回転させた後、これが自動的に初期位置に戻ってくるようにしておかないと、作業者がいちいち手動で初期位置に戻してからキーを抜き取らなければならず、その作業がきわめて面倒となる。また、作業者が不慣れな場合には、キーを初期位置に戻すことなく強引に引き抜こうとして、シリンダ錠を壊してしまうこともあり得る。そこで、シリンダ錠に差し込まれたキーを施錠杆に設けられたコイルばねの付勢力を利用して初期位置に自動復帰させるべく、シリンダ錠を含めた施錠装置を遊技機本体側に設けておく必要があった。すなわち、もし仮に、シリンダ錠を前面扉側に設けたとしたならば、前面扉が遊技機本体から開放されると、前面扉に存在するシリンダ錠の錠軸に固着されたカム板と遊技機本体側の施錠杆とが係合していない状態になり、必然的にシリンダ錠に差し込まれたキーを自動復帰させることができないことになる。こうした理由から、シリンダ錠を含めた施錠装置は、遊技機本体側に設けざるを得ないという状況にあった。
【０００５】
ところが、最近、遊技機の本体側に装着される部品等が飛躍的に多くなったこと、また、遊技機本体に設けられる遊技盤を可能な限り広い範囲で使用したいこと等の理由により、比較的装着スペースが大きいシリンダ錠を遊技機本体側ではなく、前面扉側に設けたいとのニーズが高まってきている。
【０００６】
そこで、本発明は、施錠装置のシリンダ錠を前面扉に設けても、シリンダ錠に差し込まれたキーが初期位置に自動復帰されるようにした遊技機の施錠装置を提供することを目的としている。
【課題を解決するための手段】
【０００７】
上記のような課題を解決するために本発明に係る遊技機の施錠装置は、遊技機本体と、前記遊技機本体に開閉自在に装着された前面扉と、前記遊技機本体に設けられた鉤部材ユニットと、前記前面扉に設けられたシリンダ錠ユニットとによって形成された遊技機の施錠装置であって、前記鉤部材ユニットは、上下に移動可能に設けられた施錠杆と、前記施錠杆に設けられフック部が前記前面扉に係合する鉤部材と、前記施錠杆を付勢するための施錠杆用弾性部材とを備え、前記シリンダ錠ユニットは、鍵孔が前面に露出するように設けられたシリンダ錠と、前記シリンダ錠の錠軸に固着され第１爪部と第２爪部が形成された係合部材と、前記前面扉の裏側に上下に移動可能に設けられた作動杆と、前記作動杆を付勢するための作動杆用弾性部材とを備え、前記係合部材の第１爪部は常に前記作動杆に係合し、前記係合部材の第２爪部は前記前面扉が前記遊技機本体に閉止された状態で前記施錠杆に係合するようになっており、前記第２爪部が前記施錠杆に係合している状態において前記シリンダ錠に所定のキーを差し込んで回転操作すると、前記第１爪部は前記作動杆を前記作動杆用弾性部材の付勢に抗して移動させると共に、前記第２爪部は前記施錠杆を前記施錠杆用弾性部材の付勢に抗して移動させ、前記キーの回転操作を解除すると、前記作動杆用弾性部材の弾性により前記作動杆が元の位置に戻り前記キーが初期位置に戻されるようにしたことを特徴としている。
【発明の効果】
【０００８】
本発明に係る遊技機の施錠装置は、遊技機の前面扉にシリンダ錠ユニットを設けても、シリンダ錠に差し込んだキーを初期位置に自動復帰させることができる。すなわち、施錠装置を構成するシリンダ錠ユニットを前面扉に設けることができるので、遊技機本体側にシリンダ錠を設けるスペースが必要なくなり、その分、遊技機本体に別の部品を設置したり、あるいは、遊技機本体に装着する遊技盤の設計の自由度が拡大することになる。
【図面の簡単な説明】
【０００９】
【図１】パチンコ遊技機の正面斜視図。
【図２】パチンコ遊技機の正面図。
【図３】鉤部材ユニットの分解斜視図。
【図４】鉤部材ユニットの左側面図。
【図５】施錠装置の作用図。
【図６】施錠装置の作用図。
【図７】シリンダ錠ユニットの分解斜視図。
【図８】施錠装置を本体枠の裏側から見た要部斜視図。
【発明を実施するための形態】
【００１０】
以下、本発明の実施の形態について、図面を参照しながら説明する。なお、本発明に係る施錠装置は、例えば、パチンコ遊技機、スロットマシン、雀球機、アレパチ機等の種々の遊技機に適用可能であるが、本実施の形態では、パチンコ遊技機に適用した例を説明する。そこで、まず、本発明に係る施錠装置が適用されるパチンコ遊技機についてあらかじめ説明しておく。図１は、施錠装置が装着されたパチンコ遊技機の正面斜視図、図２は施錠装置が装着されたパチンコ遊技機の正面図である。パチンコ遊技機は、遊技機本体１と、前面扉２とによって概略構成されており、このうち、遊技機本体１は、縦長な方形状に枠組み形成される外枠３と、外枠３の一側にヒンジ機構４，４によって開閉自在に装着される本体枠５とからなっている。そして、本体枠５の前面一側に前面扉２がヒンジ機構６，６によって開閉自在に装着されている。また、このパチンコ遊技機には、外枠３に対し本体枠５を開放及び施錠し、本体枠５に対し前面扉２を開放及び施錠する施錠装置が設けられている。そして、該施錠装置は、遊技機本体１の本体枠５に設けられる鉤部材ユニット７と、前面扉２に設けられるシリンダ錠ユニット８とによって構成されている。なお、この実施形態において「前側」とは、パチンコ遊技機の正面側、「後側」とは、パチンコ遊技機の背面側、「右側」「左側」とは、パチンコ遊技機を正面から見た場合の右側、左側をそれぞれ指すこととする。
【００１１】
前記外枠３は、上下に配置される上枠板１０及び下枠板１１、左右に配置される側枠板１２，１２を組み合わせることで縦長な方形枠状に形成されている。また、下枠板１１の前方には、合成樹脂製の装飾カバー１３が装着されている。なお、外枠３の開放側内側面の上部と下部の２箇所に、後述する施錠装置の本体枠用鉤部材３２のフック部５１が係止される係止部１４，１４が固着されている。
【００１２】
前記本体枠５は、上下に配置される上囲繞部材１５及び下囲繞部材１６、左右に配置される側部囲繞部材１７，１７を組み合わせることで縦長な方形枠状に形成されており、そのサイズは、外枠３の装飾カバー１３を除く前面を略覆うサイズになっている。また、本体枠５の下囲繞部材１６の上側に、方形状の遊技盤収納凹部１８が形成されており、この遊技盤収納凹部１８に図示はしないが遊技球を流下させる遊技盤が配設されることになる。そして、この遊技盤の前面には、入賞装置、遊技釘、球誘導レール等が配設され、遊技盤の後側には、球タンク、通路部材、球払出装置、各種制御基板等が配設されることになる。また、下囲繞部材１６には、図示はしないが打球発射装置等が配設されることになる。さらに、本体枠５の右下、具体的には、右側部囲繞部材１７と下囲繞部材１６が交差する位置に、シリンダ錠ユニット８を受け入れる開口１９が穿設されている。なお、図１に示すように、本体枠５の開放側の外側面に施錠装置を構成する鉤部材ユニット７が装着されている。
【００１３】
前記前面扉２は、上下に配置される上枠部材２０及び下枠部材２１、左右に配置される側枠部材２２，２２を組み合わせることで縦長な方形枠状に形成されており、そのサイズは、本体枠５の前面を略覆うサイズになっている。このうち、下枠部材２１は、本体枠５の下囲繞部材１６の前面全体を覆う板状に形成されている。また、前面扉２の下枠部材２１を除く部分は開放部になっており、図示はしないが該開放部を後方から塞ぐようにして一対の透明板ユニットが装着されることになる。さらに、前面扉２の下枠部材２１の前面には、図示はしないが球受皿、操作ハンドル等が装着されることになり、また、前面扉２の周囲前面には、装飾用の合成製樹脂カバーが装着されることになる。さらに、前面扉２の開放側内側面の上部１箇所と下部２箇所に、後述する施錠装置の前面扉用鉤部材３３のフック部５６が係止される係止部２３，２３，２３が固着されている。なお、図１に示すように、前面扉２の右下、具体的には、右側枠部材２２と下枠部材２１が交差する位置に、シリンダ錠７１を突出させるための貫通穴２４が開設されており、ここに施錠装置を構成するシリンダ錠ユニット８が装着されている。
【００１４】
次に、パチンコ遊技機に装着される施錠装置について説明する。この施錠装置は、先にも述べたとおり、遊技機本体１を構成する本体枠５に設けられる鉤部材ユニット７と、前面扉２に設けられるシリンダ錠ユニット８とによって構成されている。そこで、まず、鉤部材ユニット７から説明する。鉤部材ユニット７は、図３及び図４に示されているように、縦長帯板からなる支持基板３０と、支持基板３０に軸支された施錠杆としての棒状の施錠ロッド３１と、施錠ロッド３１に装着された本体枠用鉤部材３２Ａ，３２Ｂ、前面扉用鉤部材３３Ａ，３３Ｂ，３３Ｃ、Ｅリング３４，３４，３４、施錠杆用弾性部材としての圧縮バネ３５ａ，３５ｂ，３５ｃ、施錠杆用受止部材３６と、施錠杆用受止部材３６の移動をガイドするガイド部材３７とによって概略構成されている。
【００１５】
前記支持基板３０は、図３に示されているように、縦長な金属製の帯板からなり、前側縁と後側縁に直角に折曲した細幅の側壁部３０ａ，３０ｂが形成されている。また、支持基板３０の前側部には上下方向に沿った両端部が開放する断面コ字型の溝部４０が形成されており、この溝部４０に棒状の施錠ロッド３１が上下動自在に軸支されている。具体的には、支持基板３０の一部を溝部４０内に入り込むように切り起こして形成した軸受部４１ａ，４１ｂ，４１ｃ，４１ｄ，４１ｅ，４１ｆ，４１ｇと、ガイド部材３７に形成された軸受部４２ａ，４２ｂに施錠ロッド３１が挿入されて軸支されている。この施錠ロッド３１の外径は、軸受部４１ａ〜４１ｇ及び４２ａ，４２ｂの軸孔の内径よりも若干小さいため、施錠ロッド３１は、これら軸受部に対し摺動自在になっている。また、前側の側壁部３０ａには、前面扉用鉤部材３３Ａ，３３Ｂ，３３Ｃのフック部５６を移動させるためのスペースとして矩形状に切り欠かれたフック部用凹部４３が上部に１箇所、中間部やや下方に１箇所、下部に１箇所の計３箇所形成されており、また、後側の側壁部３０ｂには、本体枠用鉤部材３２Ａ，３２Ｂのフック部５１を移動させるためのスペースとして矩形状に切り欠かれたフック部用凹部４４が上部に１箇所、下部に１箇所の計２箇所形成されている。また、溝部４０の後縁であって、軸受部４１ａ〜４１ｆの近傍には本体枠用鉤部材３２及び前面扉用鉤部材３３の移動をガイドする案内片部４５ａ，４５ｂ，４５ｃ，４５ｄ，４５ｅ，４５ｆが突出形成されている。
【００１６】
前記施錠ロッド３１には、その上部と下部の２箇所に本体枠用鉤部材３２Ａ，３２Ｂが装着されていると共に、その上部に１箇所、中間部やや下方に１箇所、下部の１箇所に前面扉用鉤部材３３Ａ，３３Ｂ，３３Ｃが装着されている。このうち、本体枠用鉤部材３２は、図３に示されているように、その基端部側に施錠ロッド３１を遊嵌する長溝状の支承部５０が形成されており、その先端部側に上向き鉤状のフック部５１が形成されている。また、本体枠用鉤部材３２の中央部には、ネジ５２の軸を遊嵌させる長孔５３が開設されている。なお、この長孔５３にはネジ５２の軸が貫挿されており、このネジ５２の軸が支持基板３０に螺着されている。従って、本体枠用鉤部材３２は、長孔５３の範囲内で上下に移動可能になる。他方、前面扉用鉤部材３３は、その基端部側の上下２箇所に施錠ロッド３１に当接させる支承部５５ａ，５５ｂが形成されており、その先端部側に下向き鉤状のフック部５６が形成されている。さらに、施錠ロッド３１の前面扉用鉤部材３３Ｂと３３Ｃの中間位置に施錠杆用受止部材３６が装着されている。この施錠杆用受止部材３６は、その基端部側に施錠ロッド３１に嵌合させる筒状部６０が形成されており、その先端部に後述するシリンダ錠７１の錠軸７５に固設されたカム板７７と係合する係合部６１が形成されている。また、支持基板３０であって、施錠杆用受止部材３６の対応位置には、該施錠杆用受止部材３６の移動をガイドするガイド部材３７が装着されている。このガイド部材３７は、支持基板３０に装着するための矩形状の取付部６２と、支持基板３０の溝部４０を覆う矩形状の蓋部６３と、蓋部６３の上下両端部のそれぞれを直角に屈曲して溝部４０内に入り込むようにした軸受部４２ａ，４２ｂと、蓋部６３の前面に開設され施錠杆用受止部材３６の係合部６１を突出させるための矩形状の案内開口６４と、案内開口６４の一側縁に起立し施錠杆用受止部材３６を摺動させる案内片６５とによって構成されている。なお、ガイド部材３７は、その取付部６２にネジ孔６６，６６が穿設されており、ここにネジを挿入して支持基板３０に取り付けられている。
【００１７】
さらに、本体枠用鉤部材３２と前面扉用鉤部材３３の配置関係について、図４を参照しながら説明する。まず、施錠ロッド３１の上部に設けられている本体枠用鉤部材３２Ａと前面扉用鉤部材３３Ａから説明すると、これら鉤部材３２Ａ，３３Ａは、それらの支承部５０，５５ａ，５５ｂが支持基板３０の溝部４０内に入り込み、且つ支持基板３０に形成されている軸受部４１ａと４１ｂの間に位置するように施錠ロッド３１に配置されており、また、前面扉用鉤部材３３Ａの支承部５５ａ，５５ｂの間に本体枠用鉤部材３２Ａの支承部５０が位置するように配置されている。さらに、前面扉用鉤部材３３Ａの上側の支承部５５ａと本体枠用鉤部材３２Ａの支承部５０の上端との間に位置するように押圧部材としてのＥリング３４が設けられ、このＥリング３４は施錠ロッド３１に固着されている。また、本体枠用鉤部材３２Ａの支承部５０の下端と前面扉用鉤部材３３Ａの下側の支承部５５ｂの間にコイル状の圧縮バネ３５ａが設けられ、この圧縮バネ３５ａは施錠ロッド３１に外嵌されている。次に、施錠ロッド３１の下部に設けられた本体枠用鉤部材３２Ｂと前面扉用鉤部材３３Ｃの配置関係について説明すると、これら鉤部材３２Ｂ，３３Ｃも施錠ロッド３１の上部のものと基本的に同様の配置関係にあり、相違する点は、これら鉤部材３２Ｂ，３３Ｃの上部には、支持基板３０に形成されている軸受部４１ａに相当するものが存在していない点のみである。一方、施錠ロッド３１の中間部やや下方には、本体枠用鉤部材は設けられておらず、前面扉用鉤部材３３Ｂのみが設けられている。この前面扉用鉤部材３３Ｂは、その支承部５５ａ，５５ｂが支持基板３０の溝部４０内に入り込み、且つ下側の支承部５５ｂが支持基板３０に形成されている軸受部４１ｆの上方に位置するように施錠ロッド３１に配置されている。また、前面扉用鉤部材３３Ｂの上側の支承部５５ａの下部に位置するように押圧部材としてのＥリング３４が設けられ、このＥリング３４は、施錠ロッド３１に固着されている。さらに、前面扉用鉤部材３３Ｂの下側の支承部５５ｂと支持基板３０に形成されている軸受部４１ｅの間にコイル状の圧縮バネ３５ｂが設けられ、この圧縮バネ３５ｂは施錠ロッド３１に外嵌されている。なお、前面扉用鉤部材３３Ａ，３３Ｂ，３３Ｃのフック部５６は、支持基板３０の前側縁の側壁部３０ａに形成されているフック部用凹部４３から前方へ突出し、本体枠用鉤部材３２Ａ，３２Ｂのフック部５１は、支持基板３０の後側縁の側壁部３０ｂに形成されているフック部用凹部４４から後方へ突出している。
【００１８】
さらに、施錠装置のシリンダ錠ユニット８について説明する。シリンダ錠ユニット８は、図１及び図７に示されているように、前面扉２の後面側（裏側）に固着されるユニットベース７０にシリンダ錠７１と作動杆７２を装着して形成されている。ユニットベース７０は、コ字型の台部７０ａの上下両端部のそれぞれに装着片部７０ｂ，７０ｂが設けられて形成されている。また、ユニットベース７０の右側（図７では左側）の上下方向中央に円形孔７３が開設されていると共に、左側（図７では右側）の上部と下部のそれぞれに所定間隔を離して作動杆７２を軸支するための作動杆用軸受７４ａ，７４ｂが設けられている。このうち、下部の作動杆用軸受７４ｂは、ユニットベース７０の台部７０ａの一部を後方へ突出するように切り起こして形成されており、上部の作動杆用軸受７４ａは、別途形成されたものを台部７０ａに螺着している。なお、このユニットベース７０は、前面扉２の右下に開設されている貫通穴２４を後方から覆うようにして前面扉２に取り付けられている。具体的には、ユニットベース７０の装着片部７０ｂ，７０ｂのネジ挿通孔にネジを挿通して前面扉２の後面に螺着されている。シリンダ錠７１は、円柱形状の筒部７１ａと、その後端部に設けられた取付部７１ｂとを備えており、さらに、その錠軸７５が取付部７１ｂよりも後方へ若干突出すように設けられている。そして、この錠軸７５の後端部に係合部材としてのカム板７７が固設されている。すなわち、カム板７７は、その錠軸取付孔７７ａにシリンダ錠７１の錠軸７５の端部を挿入させ、ここにネジ７８を螺着することで固設されている。また、カム板７７は、その左右両側のそれぞれに二股状に形成された下動爪と上動爪とを備えている。具体的には、カム板７７は、左右対称形状をしており、左側（図７では右側）には、シリンダ錠ユニット８の作動杆７２を上下動させるための作動杆用下動爪７７ｂと作動杆用上動爪７７ｃ、右側（図７では左側）には鉤部材ユニット７の施錠ロッド３１を上下動させるための施錠杆用下動爪７７ｄと施錠杆用上動爪７７ｅが形成されている。なお、作動杆用下動爪７７ｂと作動杆用上動爪７７ｃは、請求項に記載された第１爪部に相当し、施錠杆用下動爪７７ｄと施錠杆用上動爪７７ｅは、請求項に記載された第２爪部に相当する。作動杆７２は、丸棒状の部材で、所定の長さ、すなわち、ユニットベース７０に設けられている作動杆用軸受７４ａ，７４ｂの間隔よりも若干長さを有し、作動杆用軸受７４ａ，７４ｂに上下動自在に軸支されている。また、作動杆７２の長手方向中央には、作動杆用受止部材８０が固着されている。この作動杆用受止部材８０は、その基端部側に作動杆７２に嵌合させる筒状部８０ａが形成されており、その先端部にカム板７７の作動杆用下動爪７７ｂ及び作動杆用上動爪７７ｃと係合する係合部８０ｂが形成されている。また、作動杆７２の上部と下部のそれぞれにコイル状の圧縮バネ８１ａ，８１ｂが設けられている。具体的には、作動杆７２の外周であって、上側の作動杆用軸受７４ａと作動杆用受止部材８０の上端の間に位置するように圧縮バネ８１ａが外嵌され、下側の作動杆用軸受７４ｂと作動杆用受止部材８０の下端の間に位置するように圧縮バネ８１ｂが外嵌されている。
【００１９】
次に、本実施形態における施錠装置の作用について説明する。まず、図１に示されているように、本体枠５と前面扉２の双方が開放されている状態において、これらを閉止し且つ施錠する方法から説明する。まず、本体枠５を外枠３に対し閉止する場合であるが、本体枠５を外枠３にそのまま押し込むことで閉止することができる。すなわち、本体枠５を外枠３に向けて押すと、本体枠用鉤部材３２Ａ，３２Ｂのフック部５１が外枠３の係止部１４の前縁に当接する。この時、本体枠用鉤部材３２Ａ，３２Ｂのフック部５１の先端縁上方がテーパー状になっていることから、それらのフック部５１が係止部１４を摺動しながら圧縮バネ３５ａ，３５ｃの付勢に抗しつつ徐々に押し下げられる。そして、フック部５１が係止部１４を下方から越えると、本体枠用鉤部材３２は圧縮バネ３５ａ，３５ｃより上方へ移動するため、そのフック部５１が係止部１４に係止され、本体枠５が外枠３に施錠されることになる。同様に、前面扉２を本体枠５に対して閉止する場合も、前面扉２を本体枠５にそのまま押し込むことで閉止することができる。すなわち、前面扉２を本体枠５に向けて押すと、前面扉用鉤部材３３Ａ，３３Ｂ，３３Ｃのフック部５６が前面扉２の係止部２３の前縁に当接する。この時、前面扉用鉤部材３３Ａ，３３Ｂ，３３Ｃのフック部５６の先端縁下方がテーパー状になっていることから、それらのフック部５６が係止部２３を摺動しながら圧縮バネ３５ａ，３５ｂ，３５ｃの付勢に抗しつつ徐々に押し上げられる。そして、フック部５６が係止部２３を乗り越えると、前面扉用鉤部材３３は圧縮バネ３５ａ，３５ｂ，３５ｃの付勢力により下方へ移動するため、そのフック部５６が係止部２３に係止され、前面扉２が本体枠５に施錠されることになる。ちなみに、前面扉２を本体枠５に閉止させることで初めて前面扉２のシリンダ錠ユニット８と本体枠５の鉤部材ユニット７とが合致し、前面扉２と本体枠５の開錠が可能になる。すなわち、前面扉２を本体枠５に閉止することで、前面扉２側に設けられているシリンダ錠ユニット８のカム板７７が本体枠５側に設けられている鉤部材ユニット７の施錠杆用受止部材３６に係合し、本体枠用鉤部材３２及び前面扉用鉤部材３３が設けられている施錠ロッド３１を操作することが可能となる。
【００２０】
本体枠５を開錠し、外枠３から開放する場合について説明すると、本体枠５が施錠されている状態では、図６に示されているように、本体枠用鉤部材３２Ａ，３２Ｂのフック部５１が外枠３の係止部１４に下側から係合している。そして、本体枠５と外枠３の施錠を解き、本体枠５を外枠３から開放する場合、図５に示されているように、パチンコ遊技機の前面に位置するシリンダ錠７１の鍵孔にキーを差し込んで時計回り方向へとキーを回転させる。これによって、シリンダ錠７１の錠軸７５と共にカム板７７が回転し、カム板７７の施錠杆用下動爪７７ｄがこれと係合している施錠杆用受止部材３６の係合部６１を押し下げ、同時に施錠ロッド３１も下動する。さらに、施錠ロッド３１の下動に伴い、施錠ロッド３１に固着されているＥリング３４が本体枠用鉤部材３２Ａ，３２Ｂの支承部５０の上端を押し下げるため、本体枠用鉤部材３２Ａ，３２Ｂも下方へ移動し、本体枠用鉤部材３２Ａ，３２Ｂのフック部５１が外枠３の係止部１４から外れ、本体枠５を外枠３から開放することができる状態になる。なお、本体枠５が外枠３から開放されると、圧縮バネ３５ａ，３５ｃの付勢力によって本体枠用鉤部材３２の支承部５０の下端が上側へ押圧されるため、本体枠用鉤部材３２も上側へ移動し元の位置に戻る。
【００２１】
他方、前面扉２を開錠し、本体枠５から開放する場合、図６に示されているように、パチンコ遊技機の前面に位置するシリンダ錠７１の鍵孔にキーを差し込んで反時計回り方向へとキーを回転させる。これによって、シリンダ錠７１の錠軸７５と共にカム板７７が回転し、カム板７７の施錠杆用上動爪７７ｅがこれと係合している施錠杆用受止部材３６の係合部６１を押し上げ、同時に施錠ロッド３１も上動する。さらに、施錠ロッド３１の上動に伴い、施錠ロッド３１に固着されているＥリング３４が前面扉用鉤部材３３Ａ〜３３Ｃの上側の支承部５５ａを押し上げるため、前面扉用鉤部材３３も上方へ移動し、前面扉用鉤部材３３のフック部５６が前面扉２の係止部２３から外れ、前面扉２を本体枠５から開放することができる状態になる。なお、前面扉２が本体枠５から開放されると、圧縮バネ３５ａ，３５ｂ，３５ｃの付勢力によって前面扉用鉤部材３３の下側の支承部５５ｂが下側へ押圧されるため、前面扉用鉤部材３３も下側へ移動し元の位置に戻る。
【００２２】
前面扉２が本体枠５から開放されると、互いに合致していた前面扉２のシリンダ錠ユニット８と本体枠５の鉤部材ユニット７とが分離することになる。すなわち、前面扉２を本体枠５から開放することで、前面扉２側に設けられているシリンダ錠ユニット８のカム板７７と本体枠５側に設けられている鉤部材ユニット７の施錠杆用受止部材３６の係合が解除されることになる。しかしながら、図６（ｂ）に示されているように、シリンダ錠ユニット８のカム板７７は、作動杆７２に外嵌されている圧縮バネ８１ｂの付勢力によって元の位置に押し戻される。そのため、シリンダ錠７１の錠穴に差し込まれているキーも初期位置に復帰する。このように、本発明に係る施錠装置によれば、遊技機の前面扉にシリンダ錠ユニットを設けても、シリンダ錠に差し込んだキーを初期位置に自動復帰させることができるので、遊技機本体側にシリンダ錠を設けるスペースが必要なくなり、その分、遊技機本体に別の部品を設置したり、あるいは、遊技機本体に装着する遊技盤の設計の自由度が拡大することになる。
【００２３】
なお、上記実施の形態では、鉤部材ユニットの施錠杆の例として、丸棒状の施錠ロッドを用いた例を示したが、これに限られず、例えば、板状の杆部材に前面扉用鉤部材等を形成したもの等、種々の形態を採用することができる。
【００２４】
また、上記実施の形態では、本発明に係る施錠装置をパチンコ遊技機に適用した例を示したが、スロットマシン等、他の遊技機に適用することももちろん可能である。ちなみに、スロットマシンの場合、リールユニット等を備える箱型の筐体の前側に前面扉が開閉自在に軸支されるが、当該筐体が遊技機本体に該当し、ここに鉤部材ユニットが設けられることになる。
【符号の説明】
【００２５】
１        遊技機本体
２        前面扉
７        鉤部材ユニット
８        シリンダ錠ユニット
３１      施錠ロッド（施錠杆）
３３      前面扉用鉤部材
３５      圧縮バネ（施錠杆用弾性部材）
５６      フック部
７１      シリンダ錠
７２      作動杆
７５      シリンダ錠の錠軸
７７      カム板（係合部材）
７７ｂ    作動杆用下動爪（第１爪部）
７７ｃ    作動杆用上動爪（第１爪部）
７７ｄ    施錠杆用下動爪（第２爪部）
７７ｅ    施錠杆用上動爪（第２爪部）
８１ａ    圧縮バネ（作動杆用弾性部材）
８１ｂ    圧縮バネ（作動杆用弾性部材）
【図１】
2018094010.tif 000003
【図２】
2018094010.tif 000004
【図３】
2018094010.tif 000005
【図４】
2018094010.tif 000006
【図５】
2018094010.tif 000007
【図６】
2018094010.tif 000008
【図７】
2018094010.tif 000009
【図８】
2018094010.tif 000010